(57)【特許請求の範囲】
【請求項１】
上端の少なくとも一部に外向きに突出するフランジ部を設けた筒状の胴体と、
前記胴体のフランジ部に取り付けられ、該胴体より少なくとも一部が外方に突出する肩体と、
前記肩体の突出部分に形成した操作パネル部と、
前記操作パネル部の下部を被覆するパネルカバーと、
前記操作パネル部の下部を除く前記肩体の突出部分の下部を被覆するカタカバーと
を有することを特徴とする家庭用電気製品。
【請求項２】
前記胴体の底体を固定するための底部を設けたことを特徴とする請求項１に記載の家庭用電気製品。
【請求項３】
前記パネルカバーに、前記肩体にネジ止めするためのブラケット部を設け、該ブラケット部を前記カタカバーで被覆するようにしたことを特徴とする請求項１または請求項２に記載の家庭用電気製品。
【請求項４】
前記肩体を前記胴体の全周より突出させ、前記パネルカバーを正面側に配設するとともに、一対のカタカバーを背面側でネジ止め固定したことを特徴とする請求項３に記載の家庭用電気製品。
【請求項５】
前記パネルカバーのブラケット部は、前記肩体に設けた胴体固定用のネジ締め部に嵌合するものであることを特徴とする請求項３または請求項４に記載の家庭用電気製品。
【請求項６】
前記パネルカバーに、前記胴体の縁を挟み込むリブを設け、該パネルカバーを肩体に固定した後に前記胴体を固定するようにしたことを特徴とする請求項１乃至請求項５のいずれか１項に記載の家庭用電気製品。
【発明の詳細な説明】
【技術分野】
【０００１】
本発明は、炊飯器などの家庭用電気製品に関するものである。
【背景技術】
【０００２】
本発明の家庭用電気製品に関連する先行技術文献情報としては次のものがある。
【０００３】
【特許文献１】特開２００６−２０９５７号公報
【０００４】
この特許文献１には、家庭用電気製品の１つである炊飯器が記載されている。この炊飯器は、筒状の胴体と、該胴体の上端開口に配設する肩体と、前記胴体の下端開口に配設する底体とを有する外装体を備えている。そして、この外装体は、外観の装飾性を高めるために、前記胴体を金属板により構成している。
【０００５】
前記胴体の上下端縁には、内向きに湾曲させたカーリング部を設け、このカーリング部を肩体と底体に対して嵌め込むようにして位置決めしている。また、肩体および底体には、互いに下方および上方に突出するネジ止め用のボスを突設し、これらをネジ止めすることにより前記胴体を挟み込むように構成している。
【０００６】
しかしながら、ボスによる固定構造は、炊飯鍋を収容する内胴の外周部に前記ボスを設ける必要があるため、外装体が大型化するという問題がある。また、カーリング部による固定構造を採用した場合、メンテナンス時に分解するのが非常に困難になるという問題がある。さらに、胴体に強度を持たせるために肉厚を厚くした場合、カーシング加工が困難になり、この係止構造を採用することができない。
【発明の開示】
【発明が解決しようとする課題】
【０００７】
本発明は、従来の問題に鑑みてなされたもので、外装体を小型化できるとともに、組み立ておよび分解作業性がよい家庭用電気製品を提供することを課題とするものである。
【課題を解決するための手段】
【０００８】
前記課題を解決するため、本発明の家庭用電気製品は、上端の少なくとも一部に外向きに突出するフランジ部を設けた筒状の胴体と、前記胴体のフランジ部に取り付けられ、該胴体より少なくとも一部が外方に突出する肩体と、前記肩体の突出部分に形成した操作パネル部と、前記操作パネル部の下部を被覆するパネルカバーと、前記操作パネル部の下部を除く前記肩体の突出部分の下部を被覆するカタカバーとを有する構成としている。
【０００９】
この家庭用電気製品によれば、胴体の外向きに突出するフランジ部に肩体を固定するため、該胴体を挟み込んで位置決めするボスは不要である。その結果、このボスの配設スペースが不要であるため、外装体の小型化を図ることができる。そして、この外装体は、肩体が胴体より突出する形状をなし、その突出部分に操作パネル部を形成しているため、更に外装体の小型化を図ることができる。また、ネジ止めによる固定が可能であるため、組立作業性および分解作業性を向上できる。さらに、胴体の肉厚の設計の自由度を向上できる。
【００１０】
この家庭用電気製品では、前記胴体の底体を固定するための底部を設けることが好ましい。
【００１１】
また、前記パネルカバーに、前記肩体にネジ止めするためのブラケット部を設け、該ブラケット部を前記カタカバーで被覆することが好ましい。
この場合、前記肩体を前記胴体の全周より突出させ、前記パネルカバーを正面側に配設するとともに、一対のカタカバーを背面側でネジ止め固定することが好ましい。
このようにすれば、正面に位置する操作パネル部下部のネジ止め部分を覆い隠すことができるため、外観のデザイン性を向上できる。
【００１２】
さらに、前記パネルカバーのブラケット部は、前記肩体に設けた胴体固定用のネジ締め部に嵌合することが好ましい。このようにすれば、１つのネジ止めによりパネルカバーと胴体とを固定できるため、組立作業性および分解作業性を更に向上できるとともに、小型化を図ることができる。
【００１３】
さらにまた、前記パネルカバーに、前記胴体の縁を挟み込むリブを設け、該パネルカバーを肩体に固定した後に前記胴体を固定することが好ましい。このようにすれば、胴体の配設時に操作パネル部の背部に配設するスイッチ基板の破損を防止できる。しかも、胴体の縁をリブで挟み込むため、パネルカバーと胴体との間に生じる隙間を無くすことができ、デザイン性が低下することを防止できる。
【発明の効果】
【００１４】
本発明の家庭用電気製品では、胴体を挟み込んで位置決めするためのボスは不要であるため、ボスの配設スペースが不要であり、外装体の小型化を図ることができる。また、肩体を胴体より突出させ、その突出部分に操作パネル部を形成しているため、更に外装体の小型化を図ることができる。また、胴体に対して肩体および底体をネジ止めによって固定できるため、組立作業性および分解作業性を向上できるうえ、胴体の肉厚設定の自由度を向上できる。また、胴体の端部を被覆できるため、安全性を確保できるとともに、デザイン性が低下することを防止できる。
【発明を実施するための最良の形態】
【００１５】
以下、本発明の実施の形態を図面に従って説明する。
【００１６】
図１および図２は、本発明の実施形態に係る家庭用電気製品である炊飯器１０を示す。この炊飯器１０は、炊飯鍋１１を着脱可能に収容する炊飯器本体１２と、該炊飯器本体１２の上端開口を閉塞する蓋体６９とを備え、炊飯器本体１２の正面上側に操作パネル部４２を設けたものである。
【００１７】
前記炊飯器本体１２は、図２および図３に示すように、鏡面仕上げを施した金属（ステンレス）製の筒体からなる胴体１３と、該胴体１３の上端開口に配設した円環状の肩体２２と、胴体１３の底に配設した底体２８とを有する外装体を備えている。
【００１８】
前記胴体１３は、図３および図４に示すように、金属板を絞り加工により下部の直径を徐々に小さくした略円筒形状のものである。この胴体１３には、正面側上部に、後述するスペーサ４９を配設するための切欠部１４が設けられている。また、この切欠部１４を除く上端縁には、肩体２２を固定するために水平方向外向きに突出するフランジ部１５が設けられている。このフランジ部１５には、図４中左右に位置する両側部に一対の位置決め孔１６が設けられている。また、図４中下側に位置するフランジ部１５の正面側両端、および、図４中上側に位置するフランジ部１５の背面側にはネジ挿通孔１７が設けられている。さらに、胴体１３の下端縁には、後述する底体２８と基板ホルダー３６とを固定するための底部１８が水平方向内向きに突出するように設けられている。この底部１８の中央には、略円形状をなす中心穴１９が設けられ、その内周縁には基板ホルダー３６を固定するための嵌合溝２０が設けられている。また、底部１８の中心穴１９の周囲には、底体２８をネジ止めにより固定するためのネジ孔部２１が設けられている。
【００１９】
前記肩体２２は、図２および図３に示すように、その中央に炊飯鍋１１を着脱可能に装着するための開口部２３を設けた略円環形状の樹脂製のものである。この肩体２２の背面側には、後述する蓋体６９を開閉可能に軸着するためのヒンジ接続部２４が設けられている。また、肩体２２の正面側には、蓋体６９を開放不可能にロックするためのロック爪部２５が設けられている。本実施形態では、この肩体２２は、全周が胴体１３のフランジ部１４を越えて外方に突出するように形成され、その突出部分正面側に、後述する操作パネル部４２が設けられている。また、肩体２２の下面には、胴体１３の位置決め孔１６に対応する一対の位置決め突部２６（図１３参照）が設けられるとともに、ネジ挿通孔１７に対応するネジ締め部２７（図１３参照）が設けられている。
【００２０】
前記底体２８は、図２および図５に示すように、胴体１３の下部に配設される受皿形状をなす樹脂製のもので、その底には略球状に突出する脚部２９が周方向に等間隔でもって設けられている。また、この底体２８の上面には、放射状に突出する複数の補強リブ３０が設けられている。さらに、この底体２８には、胴体１３のネジ孔部２１に対応するネジ挿通孔３１が設けられている。なお、符号３２は、商用電源と接続するための電源コードを導入するための導入部である。
【００２１】
前記胴体１３、肩体２２および底体２８からなる外装体の内部には、図２および図３に示すように、炊飯鍋１１を着脱可能に収容するための金属製の内胴３３が配設されている。この内胴３３は、肩体２２の開口部２３の下端から下向きに延びる上端開口で下端閉鎖の筒状のもので、その底の中央には、加熱ヒータを配設した略椀状の加熱板（図示せず）および炊飯鍋１１の温度を検出する温度センサ（図示せず）を配設する凹部３４が設けられている。
【００２２】
また、外装体において内胴３３の下部の略中央には制御基板３５を配設するための樹脂製の基板ホルダー３６が配設されている。この基板ホルダー３６は、平面視矩形状をなす仕切壁３７と、該仕切壁３７の外周縁から上下方向に突出するように設けた環状壁３８とを備え、仕切壁３７の上側を水受部３９とし、仕切壁３７の下側を基板配設部４０としている。なお、この基板ホルダー３６には、環状壁３８の一部を外向きに膨出させることにより、水受部３９内から基板配設部４０の下側まで延びる排水路４１が更に設けられている。
【００２３】
前記肩体２２に形成する操作パネル部４２は、図２および図６に示すように、該肩体２２に設けた取付孔４３ａ〜４３ｅと、これら取付孔４３ａ〜４３ｅにそれぞれ装着するスイッチ釦４４ａ〜４４ｅとを備え、これらスイッチ釦４４ａ〜４４ｅの背部（内部）にスペーサ４９およびスイッチ基板５６を配設したものである。
【００２４】
前記取付孔４３ａ〜４３ｅは、平面視円形状の孔からなる。前記スイッチ釦４４ａ〜４４ｅは、図７に示すように、取付孔４３ａ〜４３ｅ内に挿通される外径の円環状の筒部４５を備え、その先端に後述する弾性押圧部５３ａ〜５３ｅを押圧するための突出部４６を設けたものである。なお、図中、符号４７は取付孔４３ａ〜４３ｅの内端縁に係止する弾性係止片で、符号４８は各取付孔４３ａ〜４３ｅに形成したガイド溝に嵌るガイド凸部である。
【００２５】
前記スペーサ４９は、図８および図９に示すように、前記スイッチ釦４４ａ〜４４ｅの背部に肩体２２の内側より配設する樹脂製のものである。このスペーサ４９は、下端開口の略蓋形状をなし、その内部をスイッチ基板配設部５０としている。このスペーサ４９の両端部には、ネジ止めにより肩体２２に固定するためのブラケット部５１が設けられている。また、スペーサ４９には、各スイッチ釦４４ａ〜４４ｅに対応する抜穴５２が設けられ、この抜穴５２の内部に弾性押圧部５３ａ〜５３ｅが一体成形されている。これら弾性押圧部５３ａ〜５３ｅは、抜穴５２の縁から略Ｕ字形状に湾曲された弾性部５４と、前記突出部４６により押圧される押圧部５５とを備えている。
【００２６】
前記スイッチ基板５６は、スペーサ４９のスイッチ基板配設部５０に配置され、制御基板３５にリード線により電気的に接続されるものである。このスイッチ基板５６には、前記弾性押圧部５３ａ〜５３ｅに対応するスイッチ５７が実装され、ユーザがスイッチ釦４４ａ〜４４ｅを操作すると、押圧部５５を介して接点がオンされることにより、その操作情報を制御基板３５に送信する。
【００２７】
図２および図１０に示すように、肩体２２において、胴体１３の全周より突出した部分の下部、即ち、胴体１３のフランジ部１５および切欠部１４は、操作パネル部４２に対応する正面側がパネルカバー５８により被覆され、他の周囲が一対のカタカバー６６Ａ，６６Ｂにより被覆されている。
【００２８】
前記パネルカバー５８は、肩体２２の正面において、その先端縁から胴体１３にかけて操作パネル部４２の下部を被覆する樹脂製のものである。このパネルカバー５８は、図１１に示すように、肩体２２の先端から胴体１３の切欠部１４の下部に向けて傾斜する平面視円弧状の表面部５９と、該表面部５９の先端から胴体１３に沿って上向きに延びる内壁部６０と、該内壁部６０の先端から内向きに屈曲して切欠部１４から胴体１３内に延びる鍔部６１とを備えている。そして、このパネルカバー５８の両端部には、肩体２２にネジ止めするためのブラケット部６２が設けられている。本実施形態のブラケット部６２は、肩体２２における胴体１３を固定するためのネジ締め部２７の外径より僅かに大きい内径の取付穴６３を備え、該ネジ締め部２７に対して外嵌させた状態で、胴体１３のフランジ部１５を上方に配置してネジ止めにより固定する構成としている。また、このブラケット部６２と表面部５９との間には、カタカバー６６Ａ，６６Ｂの一端を係止するための係止穴６４が設けられている。さらに、鍔部６１には、内壁部６０と所定間隔をもって位置し、該内壁部６０との間に胴体１３における切欠部１４の縁を挟み込む一対のリブ６５が設けられている。
【００２９】
前記カタカバー６６Ａ，６６Ｂは、操作パネル部４２の下部を除く前記肩体２２の突出部分において、パネルカバー５８から肩体２２の背面中央までの下部を被覆する樹脂製のものである。カタカバー６６Ａ，６６Ｂは、図１２に示すように、肩体２２の先端から胴体１３に向けて僅かに下方傾斜する円弧状のもので、その一端には、前記係止穴６４に挿入係止される係止爪６７ａを備えた係止片６７が突設されている。また、カタカバー６６Ａ，６６Ｂにおいて、肩体２２の背面側に位置される他端近傍には、ネジ締め部２７に対応するネジ挿通孔６８が設けられている。
【００３０】
前記蓋体６９は、図２に示すように、炊飯器本体１２に対して背面側のヒンジ接続部２４で開閉可能に軸着され、炊飯器本体１２の上部を閉塞する平面視円形状のものである。この蓋体６９は、樹脂製の第１蓋部材７０と、該第１蓋部材７０の下側に配設される樹脂製の第２蓋部材７１と、前記第１蓋部材７０の上側表面に配設される装飾カバー７２とを備えている。この装飾カバー７２は、胴体１３と同様に鏡面仕上げを施した金属（ステンレス）製のものである。また、前記第２蓋部材７１の下部には、金属製の内蓋本体７３の外周部に炊飯鍋１１の開口縁をシールするシール部材７４を配設した内蓋７５が着脱可能に配設されている。なお、符号７６は、ロック爪部２５に係合するロック部７６ａを有する開放釦である。
【００３１】
前記構成の炊飯器１０を組み立てる場合には、例えば、肩体２２の取付孔４３ａ〜４３ｅに対して外側からスイッチ釦４４ａ〜４４ｅを配設する。その後、図１３に示すように、内胴３３を装着した肩体２２を天地逆向きにした状態で、スイッチ基板５６を配設したスペーサ４９を操作パネル部４２の背部に配設し、ネジ止めにより固定する。
【００３２】
ついで、図１４に示すように、スペーサ４９の表面にパネルカバー５８を配置する。この際、パネルカバー５８のブラケット部６２を肩体２２のネジ締め部２７に外嵌させる。
【００３３】
その後、図１５に示すように、内胴３３に被せるように胴体１３を配置する。この際、胴体１３の位置決め孔１６を肩体２２の位置決め突部２６に嵌め込んで位置決めする。また、切欠部１４の縁をパネルカバー５８のリブ６５と内壁部６０との間に挿入する。さらに、各ネジ挿通孔１７を肩体２２のネジ締め部２７上に一致させる。そして、切欠部１４の近傍に位置する正面側のネジ挿通孔１７を通してネジ締め部２７に対してネジを締め付ける。これにより、パネルカバー５８は、肩体２２と胴体１３のフランジ部１５との間に挟み込まれ、離脱不可能な状態に固定される。なお、図示していないが、この胴体１３の取付時には、底部１８の内側に制御基板３５を配設した基板ホルダー３６が既に配設されている。
【００３４】
ついで、カタカバー６６Ａ，６６Ｂを配置し、先端の係止片６７をパネルカバー５８の係止穴６４に挿入係止した後、ネジ挿通孔６８を胴体１３のネジ挿通孔１７上に一致させる。そして、背面側のネジ挿通孔６８，１７を通して肩体２２のネジ締め部２７に対してネジを締め付ける。これにより、胴体１３を肩体２２に対して安定状態で固定することができる。また、カタカバー６６Ａ，６６Ｂにより、正面側のネジ止め部分、即ち、パネルカバー５８のブラケット部６２が被覆される。
【００３５】
最後に、胴体１３の底部１８に底体２８を配設し、底体２８のネジ挿通孔３１を通して底部１８のネジ孔部２１に対してネジを締め付けることにより、胴体１３に対して底体２８を固定する。
【００３６】
このように、本実施形態の炊飯器１０の外装体は、胴体１３のフランジ部１５に肩体２２をネジ止めにより固定するとともに、胴体１３の底部１８に底体２８をネジ止めにより固定するため、肩体２２や底体２８には胴体１３を挟み込んで位置決めするためのボスは不要である。そのため、このようなボスの配設スペースが不要であるため、外装体全体の小型化を図ることができる。また、ネジ止めによる固定であるため、組立作業性および分解作業性を向上できるうえ、胴体１３の肉厚設定の自由度を向上できる。さらに、肩体２２は、全周が胴体１３より突出する形状をなし、その突出部分に操作パネル部４２を形成しているため、更に外装体の小型化を図ることができる。
【００３７】
また、前記パネルカバー５８に、前記肩体２２にネジ止めするためのブラケット部６２を設け、このブラケット部６２をカタカバー６６Ａ，６６Ｂで被覆する。しかも、各カタカバー６６Ａ，６６Ｂは、背面側でネジ止め固定される。そのため、正面に位置する操作パネル部４２の下部には、ネジ止めによるネジは勿論、窪みさえ目視できない状態になるため、外観のデザイン性を向上できる。しかも、胴体１３の端部であるフランジ部１５の縁が被覆されるため、安全性を確保できるとともに、デザイン性が低下することを防止できる。
【００３８】
さらに、前記パネルカバー５８のブラケット部６２は、前記肩体２２に設けた胴体固定用のネジ締め部２７に嵌合する構成としているため、１つのネジ止めにより肩体２２に対してパネルカバー５８と胴体１３とを固定できる。そのため、組立作業性および分解作業性を更に向上できるとともに、小型化を図ることができる。
【００３９】
さらにまた、前記パネルカバー５８に胴体１３の縁を挟み込むリブ６５を設けているため、パネルカバーと胴体１３との間に生じる隙間を無くすことができ、デザイン性が低下することを防止できる。しかも、組立時には、パネルカバー５８を肩体２２に固定した後に、胴体１３を固定するため、この胴体１３の配設時に操作パネル部４２の背部に配設しているスイッチ基板５６の破損を防止できる。
【００４０】
なお、本発明の家庭用電気製品は、前記実施形態の構成に限定されるものではなく、種々の変更が可能である。
【００４１】
例えば、前記実施形態では、肩体２２は、その全周が胴体１３より外方に突出するように設けたが、少なくとも操作パネル部４２を形成するための正面側を含む一部のみが突出する形状としてもよい。
【００４２】
また、前記実施形態では、外装体構造を適用する家庭用電気製品として炊飯器１０を適用したが、外装体に操作パネル部４２を形成する家庭用電気製品であれば、いずれでも適用可能であり、同様の作用および効果を得ることができる。
【図面の簡単な説明】
【００４３】
【図１】本発明の実施形態の基板ホルダーを備えた電気調理器である炊飯器を示す斜視図である。
【図２】図１の中央縦断面図である。
【図３】炊飯器本体の断面斜視図である。
【図４】胴体の平面図である。
【図５】底体の斜視図である。
【図６】図１のスイッチ釦を外した状態を示す斜視図である。
【図７】スイッチ釦の斜視図である。
【図８】スペーサセットを示す斜視図である。
【図９】スペーサセットとスイッチ基板とを示す断面斜視図である。
【図１０】図１の底面図である。
【図１１】パネルカバーの斜視図である。
【図１２】カタカバーの斜視図である。
【図１３】組立作用の一工程を示す斜視図である。
【図１４】組立作用の他の一工程を示す斜視図である。
【図１５】組立作用の他の一工程を示す斜視図である。
【図１６】組立作用の他の一工程を示す斜視図である。
【符号の説明】
【００４４】
１０…炊飯器（家庭用電気製品）
１３…胴体（外装体）
１５…フランジ部
１８…底部
２２…肩体（外装体）
２８…底体（外装体）
４２…操作パネル部
４３ａ〜４３ｅ…取付孔
４４ａ〜４４ｅ…スイッチ釦
４９…スペーサ
５６…スイッチ基板
５８…パネルカバー
６２…ブラケット部
６５…リブ
６６Ａ，６６Ｂ…カタカバー
６７…係止片
６９…蓋体
【図１】
0004542523.tif 000002
【図２】
0004542523.tif 000003
【図３】
0004542523.tif 000004
【図４】
0004542523.tif 000005
【図５】
0004542523.tif 000006
【図６】
0004542523.tif 000007
【図７】
0004542523.tif 000008
【図８】
0004542523.tif 000009
【図９】
0004542523.tif 000010
【図１０】
0004542523.tif 000011
【図１１】
0004542523.tif 000012
【図１２】
0004542523.tif 000013
【図１３】
0004542523.tif 000014
【図１４】
0004542523.tif 000015
【図１５】
0004542523.tif 000016
【図１６】
0004542523.tif 000017